(57)【要約】【課題】  音楽再生装置を用いて優れた癒し効果と美容効果も発揮される音響と光による癒し装置の提供。【解決手段】  音楽の収録媒体より記録信号を読み取り音声出力させる音声出力回路と、この音声出力を分岐のうえ整流ダイオードとパルス変換してパルス電流に変換させるパルス変換出力回路とを有し、且パルス電流をハウジング外面に設けられた発光波長領域が３４０乃至８００ｎｍの適宜発光波長のＬＥＤ発光素子に通電せしめ、音楽の再生とともにＬＥＤ発光素子よりパルス発光させる構成。【選択図】図４
2008170913.tif 000002
【特許請求の範囲】
【請求項１】
適宜の形状及び寸法のハウジングの適宜部位には、音楽が収録されてなるＣＤやＭＤ若しくはカセットテープ等の収録媒体の記録信号を再生するための収納部と、且その外面には発光波長領域が３４０乃至８００ｎｍの適宜発光波長のＬＥＤ発光素子、及びハウジング適宜位置内面にはスピーカーが配設されてなるとともに、収録媒体より読み取り且所要の処理を施したうえ音声出力として出力させる音声出力回路と、該音声出力を分岐のうえ整流ダイオードとパルス変換とによりパルス電流に変換するパルス変換出力回路と、該パルス電流をＬＥＤ発光素子に出力させ以って収録媒体の再生による音楽と且ＬＥＤ発光素子による発光光線とにより癒し効果と美容効果を発揮せしめることを特徴とする音響と光による癒し装置。
【請求項２】
パルス変換出力回路で変換されたパルス電流を、サーカディアンリズムの整数倍で且そのパルス数の透過が２５乃至１０，０００パルスのバンドパスフィルターを介してＬＥＤ発光素子を発光させる、請求項１記載の音響と光による癒し装置。
【請求項３】
ハウジングの外面に配設されるＬＥＤ発光素子のうち、少なくともその発光波長が４８０ｎｍの青色光のＬＥＤ発光素子である、請求項１若しくは請求項２記載の音響と光による癒し装置。
【発明の詳細な説明】
【技術分野】
【０００１】  本発明は音楽を楽しみながら光の透過刺激により高い癒し効果と美容効果が発揮される音響と光による癒し装置に関する。
【背景技術】
【０００２】  今日では都市化に伴い住環境においても近隣騒音や振動が、更に就労環境においても通勤のための交通渋滞や殺人的ラッシュを初め、勤務のＯＡ化や派遣社員の多量の使用による労務管理の著しい変化、或いは主婦の就労化や女性の社会進出による男性社会との葛藤、及び所謂格差の著しい拡大化等により精神的神経的ストレスが過剰に付加蓄積され、鬱や躁鬱等精神障害が増大化し犯罪者や自殺者も多発している実情にある。【０００３】  ところでかかるストレス付加蓄積は肉的的疲労の如く自覚されにくく、放置すると精神障害へと進む恐れを内在する。そしてこのストレスは前記多様なストレス原因であるストレッサ−が間脳から脳下垂体及び副腎に至る生理システム内に発生するものである。
しかしながら現状においてはストレスを含めた疲労感を覚えた場合には入浴やサウナ、或いはマッサージ等により軽減化を図ることが頻繁になされているものの、かかる軽減化には専ら肉体的疲労の回復にしか、ストレスの軽減化や消除即ちカタルシスには至らない。【０００４】  而して一方においては音楽特にはクラシック音楽の一部に、大きなゆらぎとともに人体の基本的リズムとされるサーカディアンリズムとも共振共鳴して癒し効果が発揮される所謂ヒーリングミュージックなるものが注目されつつあるが、反面音楽は聴者の好き嫌いにも強く且特定音楽の選択購買も面倒であるばかりか、聴覚に不自由な人には何等対処できぬ問題も抱えている。【０００５】  他方において特定波長の光を皮膚面にパルス照射させることにより、表皮や真皮内にまで透過刺激が働き皮膚形成層の繊維芽細胞の活性化やコラーゲンの産生、更には免疫機能の向上がなされ美肌はもとより美容上の最大課題とされるしわ取りさえもなされることが公知されている。
【特許文献１】  特開２００４−２３７０４２号公報
【特許文献２】  特開２００５−２５８０８号公報
【０００６】  そこで発明者は所望の音楽が収録されてなるレーザーディスクやコンパクトディスク、ミニディスク、磁気テープ等の収録媒体を、再生装置において再生し増幅のうえスピーカーより出力させる音声出力回路と、再生され増幅された出力を分岐のうえ整流してパルス変換のうえＬＥＤ発光素子よりパルス発光照射させるパルス変換出力回路とを設け、音響による癒しと且パルス光線の照射により皮膚外面から付加蓄積されたストレッサ−に共振共鳴させてカタルシスを効果的になし、更にはこのパルス変換出力回路にサーカディアンリズムの整数倍のバンドパスフィルターを適宜数種介在させて、共振共鳴パルスを集中して発光照射させることで皮膚透過刺激が高められ、以って聴覚や視覚に加えて全身からの皮膚透過刺激とにより音響的癒しとストレッサ−の浄化を高め癒し効果を著しく高めることが可能なることに想到し本発明に至った。
【発明の開示】
【発明が解決しようとする課題】
【０００７】  本発明は音楽再生装置を用いて聴覚と視覚及び全身からの皮膚透過刺激とにより、優れた癒し効果と美容効果が発揮される音響と光による癒し装置を提供することにある。
【課題を解決するための手段】
【０００８】  上述の課題を解決するために本発明が用いた技術的手段は、適宜の形状及び寸法からなるハウジング内には、所望の音楽が収録されてなるＣＤ、ＭＤ若しくは磁気テープからなる音楽収録媒体より、ＣＤ及びＭＤにおいては光ピックアップでデジタル信号を読み取り、且信号処理回路においてアナログ信号化したうえ増幅し、若しくは磁気ヘッドによりアナログ信号を読み取りのうえ一次増幅し且二次増幅したうえ出力スピーカーで音楽として出力させる音声出力回路と、アナログ信号化され増幅され若しくは一次増幅及び二次増幅された音声出力を分岐し整流ダイオード及びパルス変換出力回路とによりパルス電流に変換のうえ、その発光波長が３４０乃至３８０ｎｍのＬＥＤ発光素子や、その発光波長が５００乃至７００ｎｍのＬＥＤ発光素子若しくはその発光波長が７００乃至８００ｎｍのＬＥＤ発光素子の一つ或いはこれらから選ばれる適宜のＬＥＤ発光素子に通電せしめ、ＬＥＤ発光素子をパルス発光させるパルス変換出力回路とが設けられてなり、且ＬＥＤ発光素子がハウジング外面の適宜位置に配設された構成並びにパルス電流を更にサーカディアンリズムの整数倍のバンドパスフィルターを介してＬＥＤ発光素子に通電させる構成に存する。
【発明の効果】
【０００９】  本発明は上述の如き構成からなるものであるから、癒し作用を有するとされるクラシック音楽等が収録されたＣＤやＭＤ若しくは磁気テープ等が使用でき、且その再生に際してもＣＤやＭＤプレーヤーやカセットデッキがそのまま利用できるため極めて扱いが簡便であるばかりか、再生に伴い音声出力部からは所望する音楽が楽しめ且ハウジング外面にはＬＥＤ発光素子が適宜位置に配設され、而もこのＬＥＤ発光素子は音声の周波数に対応したパルス電流でパルス発光するため発光光線に尖頭作用が働き、聴者の皮膚全面より発光エネルギーによる透過刺激が与えられ、音楽による癒しに加えて精神的神経的ストレスへの共振共鳴による弛緩軽減や消除がなされて大きな癒し効果が発揮される。【００１０】  更にＬＥＤ発光素子にその発光波長が４８０ｎｍのＬＥＤ発光素子を用いると、色光上鎮静感が感得されるばかりか該波長領域の色光は、他の色光が用いられる場合即ち波長が５００ｎｍの緑や６００ｎｍの橙色等の色光に対しては強光下反応が働き、皮膚への透過刺激が一段と高まり、更にはその波長が８００ｎｍの赤色光が用いられると皮膚透過による内部加温作用も働くため、血行が促進されて美容効果も著しく高められることとなる。
【発明を実施するための最良の形態】
【００１１】  ＣＤやＭＤプレーヤー若しくはカセットデッキ等の再生装置において、音声増幅がなされ出力される音声出力を分岐し整流ダイオード及びパルス変換出力回路によりパルス電流となしたうえ、その発光波長が４８０ｎｍのＬＥＤ発光素子を再生装置の外面適宜位置に配設させたうえ、パルス電流を通電し音楽とともにＬＥＤ発光素子を発光させる。
【実施例１】
【００１２】  以下に本発明実施例を図とともに説明すれば、収録媒体１としてはＣＤやＭＤ或いは磁気テープの所謂カセットテープ等が現状においても音楽の収録媒体１として多量に流通しており、且その再生装置としてもＣＤやＭＤプレイヤー及びカセットデッキが普及化しており、かかる再生装置に特別な技術の付加によって実現可能となる。
そして肝要なことは本発明の目的が音響と光による癒し装置を提供するものであるから、収録媒体１には癒し作用を有する音楽を用いることが好適である。【００１３】  この癒し作用とは、音楽の持つゆらぎに加えて聴者たる人体のリズム所謂サーカディアンリズムと共振共鳴しえるリズム、若しくはリズムとメロディー及びハーモニィによる波動と脳波との共鳴するものが好適とされており、巷間においてはモーツアルトやシューベルトによるクラシックが挙げらており、より具体的にはモーツアルトのセレナード第１３番ト長調（アイネ・クライネ・ナハトムージク）第３楽章及び第４楽章を初め、フルートとハープのための協奏曲ハ長調第３楽章、ヴァイオリン・ソナタ第３４番変ロ長調第１楽章と第３楽章、弦楽四重奏曲第１７番変ロ長調（狩り）第２楽章と第４楽章、或いは交響曲第３９番変ホ長調第３楽章及び第４楽章他多くのものが好適とされている。【００１４】  かくしてなる収録媒体１を再生し癒し音楽とパルス発光をなす音響と光による癒し装置６は、癒し作用を持つ収録媒体１に収録された音楽の再生が要件とされるが、癒し音楽の収録された収録媒体１の再生部分の技術は新規設計するまでも無く、既に安価で且普遍化されているＣＤやＭＤプレーヤー或いはカセットデッキ等の再生技術を有効利用することが極めて有利である。
そこで現状の再生装置を見てみると、ＣＤプレーヤーは図１に示す如きなるもので、癒し作用を持つ音楽が収録されてなるＣＤディスクの情報（ビット）を、光ピックアップにおいて読み取ったうえ信号処理回路においてデジタル信号及びアナログ信号即ち音声信号として出力させる構成からなる。【００１５】  更にＭＤプレーヤーにおいては図２に示すように、癒し作用を持つ音楽が収録されてなるディスクを光ピックアップにおいて読み取ったうえ、ＥＦＭとＡＣＩＲＣデコーダー／デコーダーと音声圧縮エンコーダー／デコーダー及び制御用コントローラー等の信号回路によりアナログ信号として出力させる構成である。
加えてカセットデッキにおいては図３に示すように、磁気ヘッドによりテープに収録された癒し作用を持つ音楽信号を読み取り、アンプ１によって一次増幅させたうえアンプ２において所要の出力に増幅のうえアナログ信号として出力させるもので、且この構成においてはアンプ２のレベル検出によりアンプ３により高音域や低音域のバランスを測る構成よりなるものである。【００１６】  而して癒し作用を有する音楽が収録された音楽を再生するのみであるならば、これら再生装置の使用のみで事が足りる。
そこでこれら再生装置の再生技術の内、増幅され出力される音声出力を分岐したうえ整流し且パルス変換させてパルス電流によるＬＥＤ発光素子を発光させることで、このパルス光線が保持する尖頭作用により、聴者の皮膚全体からパルスによる皮膚刺激を与え無意識のうちに精神的神経的ストレッサーへの共振共鳴による浄化所謂カタルシスを図り、更には人体へのパルスによる皮膚刺激を効率的に受容させるうえからは、パルス変換された広範なパルス数のうち、サーカディアンリズムに対して整数倍のパルスに集中させてパルス発光させることが好適なことから、適宜数種のバンドパスフィルターを介して出力発光させることが極めて有効となる。【００１７】  図４はパルス変換回路の回路図であって、該パルス変換回路２の入力部２Ａには、ＣＤプレーヤーやＭＤプレーヤー若しくはカセットデッキ等により収録媒体１に記録された記録信号を読み取り、所要の処理回路で処理されたうえ増幅出力される音声出力を分岐のうえ入力される。この入力される音声出力はその周波数が略５０乃至２０，０００Ｈｚであるから、パルス変換に際しては高速で且尖頭作用を保持する発光をなすために略直線状のパルス波形となす必要がある。
これがためには整流ダイオード２Ｂを介して半波整流をなすことにより、実質的に入力される音声出力の周波数の１／２のパルス状直流となるものであるが、この整流ダイオード２Ｂの半波整流速度即ちスイッチング応答速度はダイオードの特性として順方向から逆方向に電流がスイッチされる場合にＰＮ接合中に存在するキャリアが消失するまでの時間遅延が生ずるものであるが、現状の整流ダイオードは実質的に１０−８乃至１０−９／秒以下に管理されているため、半波整流速度としては何等の支障も無い。【００１８】  しかしながらかかる時間遅延は、半波整流されたパルス波形に残留波を生ずるため尖頭作用を期待する直線状パルスの形成には至らない。そこで該整流ダイオード２Ｂで半波整流されたパルス電流はパルス補整部２Ｃに入力されて残留波を含むパルス電流を直線状パルスに補整がなされる。
このパルス補整部２Ｃは、単結合トランジスター（ＵＪＴ）２０やプログラム単結合トランジェスタ−（ＰＵＴ）を使用するもので、該パルス補整部２Ｃにおいてはエミッター２０Ａに外から電圧が付加され電圧が上昇する過程で、始時は付加電圧が分圧された電圧より低いためＵＪＴ２０を形成するＰＮ接合には逆方向のバイアスがかかり電流は流れぬものの、付加電圧が分圧された電圧及び接合の立上がり電圧を超えると、瞬時にＰＮ接合が順方向となりエミッター２０Ａより流れる。ＵＪＴ２０を形成するＰ層からの正孔はＮ型シリコンの中をＢ１極２０Ｂのマイナスに向って流れ、これにより該Ｂ１極２０Ｂの抵抗２１の抵抗値が減り、伝導度変調によってエミッター２０Ａへの分圧が下がり、エミッター２０ＡとＢ１極２０Ｂの間には負性抵抗を示す。【００１９】  従って抵抗Ｒ２２を通してコンデンサーＣ２３が充電され、該充電圧が上昇するとＵＪＴ２０のエミッター２０ＡからのＢ１極２０Ｂへと一瞬に流れ、この一瞬の電流によりＢ１極２０Ｂと連結された抵抗２１にパルス電圧即ち直線状のパルス波が出力部２Ｄに出力されることとなる。
無論パルス補整部２Ｃはかかる構成のみに限定されるものではなく整流ダイオード２Ｂで半波整流されたパルス電流を直接状のパルスに補正しえる手段であれば差支えない。【００２０】  ところでパルス変換回路２に入力される音声出力は、その周波数が略５０乃至２０，０００Ｈｚ程度であり、且該パルス変換回路２における整流ダイオード２Ｂでは半波整流されるため、実質的パルス数は略２５乃至１０，０００となる。
反面人体のサーカディアンリズムは５８／ｍｉｎとされており、０．９６６６６／秒であるから、かかるパルス変換されたパルス数としてはサーカディアンリズムに対して略２６倍から１０，３４５倍に相当する。
而して本発明ではパルス発光の有する光線の尖頭作用を以って皮膚全体より透過刺激を付加させ精神的神経的ストレスの浄化所謂カタルシスをなすものであるが、透過刺激により有効なカタルシスには該透過刺激の振動数がサーカディアンリズムと合致若しくはその整数倍の場合には、ストレスの付加蓄積に対して共振共鳴し易く弛緩軽減や消除も極めてなされやすくなる。
そしてパルス変換のために入力される音声出力の周波数は著しく変動するものであるから、仮令パルス変換されてもパルス数も変動することとなる。【００２１】  そこで多様に変動するパルス数の内より、サーカディアンリズムの整数倍のパルス数を透過通電しえる数種のバンドパスフィルター３を介してＬＥＤ発光素子４をパルス発光させることが得策である。
このバンドパスフィルター３は現在セラミックスフィルターやクリスタルフィルター等が多用されており、所望のバンドパスフィルター３も容易に入手しえる。
そして他方においてはパルス発光は皮膚の表皮や真皮の繊維芽細胞の活性化やコラーゲンの産生及び免疫機能の向上と且表皮の保護や維持機能がその発光波長４３０乃至４８０ｎｍと５００乃至７００ｎｍ及び７００乃至８００ｎｍの波長領域の発光光線に存在する。
加えてかかる波長領域の発光光線は色光であって、該色光には大きな心理作用をも保持する。【００２２】  ところで本発明においては音響による癒し効果を発揮させる側面をも保持するため音響聴取背景を考慮した色光が望まれる。
日本流行色協会の調査によれば青色は抽象的連想として沈着や悠久或いは深遠等が、具体的連想として空や海或いは南国等が挙げられており、その波長が４８０ｎｍの青色光は心理的にも適合し且サーカディアンリズムの整数倍にも合致する。
従って本発明の主たる使用目的として音響を楽しみつつ癒しを求める場合や、単なる癒しグッズとしての使用、或いは癒しと共に美容効果を希求する場合等とでは発光色の異なるＬＥＤ発光素子の使用も要請される。即ち音響を楽しみつつ癒しを求める場合では前記の如く波長４８０ｎｍの青色光が好適であるが、癒しグッズとしての使用では多彩な遊び心と且美容効果をも発揮する波長の色光として４８０ｎｍの青色光に加えて波長領域が５００乃至７００ｎｍの中から５５５ｎｍの緑色光や６６０ｎｍ赤色光等の使用が挙げられ、更に美肌や美容を主な目的とする場合では波長領域が５００乃至７００ｎｍの内から２乃至３種の波長のＬＥＤ発光素子と且その波長領域が７００乃至８００ｎｍの赤色光若しくは赤外光の使用が血行促進のうえからも望まれる。【００２３】  ＬＥＤ発光素子４の具体的なものとしては、発光波長が４８０ｎｍの青色光では、ＺｎＳｅ系やＳｉＣ系が、発光波長が５００乃至７００ｎｍの波長領域には発光波長５５５ｎｍの緑色光ではＧａＰ系発光波長５６５ｎｍの黄緑光ではＧａＰ＋ｎ系、発光波長５９０ｎｍの黄色光ではＧａＡｓＰ系、発光波長６３０ｎｍの橙色系ではＧａＡｓＰ系、発光波長６６０ｎｍの赤色光ではＧａＡｌＡｓ系、発光波長７００ｎｍの赤色光ではＧａＰ＋ｚｎ等が挙げられる。【００２４】  かくして本発明は既存の音声出力回路を有するＣＤやＭＤプレーヤー若しくはカセットデッキ等の音声出力回路に加えてパルス変換回路とこの変換されたパルス電流により、その発光波長が４３０乃至８００ｎｍの波長領域の適宜発光波長のＬＥＤ発光素子を発光させて音響と光とにより癒しを実現するものである。
そして音声出力を主体とするＣＤやＭＤプレーヤー若しくはカセットデッキ等も載置使用するものや携行使用するもの等により、適宜の寸法及び形状のハウジング５内に収録媒体１の再生収納部５Ａが設けられ、且出力スピーカー５Ｂも通常は該ハウジング５の前面内側に配設させてあり、イヤホーンやヘッドホーンによる場合には出力ジャックが適宜位置に配設されているものである。【００２５】  而してパルス発光されるＬＥＤ発光素子４の発光光線には、その色光による聴者の視覚を通して心理的安らぎを与えるばかりか皮膚全体より透過刺激が与えられ、ストレスの浄化はもとより美肌や美容効果も高められるとともに優れた癒し効果が発揮されるものであるから、該パルス発光光線が遮蔽されぬようにハウジング５の外面適宜位置に設けることが望ましい。
図５は載置使用される本発明のハウジング正面見取図であって、ＬＥＤ発光素子４が正面上部位置に配設されているもので、該正面上部位の他には上面に配設させても良い。
【産業上の利用可能性】
【００２６】  既存のＣＤやＭＤプレーヤー若しくはカセットデッキ等と同様、載置使用や携行使用も可能である。
【図面の簡単な説明】
【００２７】
【図１】  ＣＤの音声出力回路の回路図である。
【図２】  ＭＤの音声出力回路の回路図である。
【図３】  カセットテープの音声出力回路の回路図である。
【図４】  本発明のパルス変換回路の回路図である。
【図５】  本発明のハウジング正面見取図である。
【符号の説明】
【００２８】  １    収録媒体
２    パルス変換出力回路
２Ａ  入力部
２Ｂ  整流ダイオード
２Ｃ  パルス補整部
２Ｄ  出力部
２０    単結合トランジスター
２０Ａ  エミッター
２０Ｂ  Ｂ１極
２１    抵抗
２２    抵抗Ｒ
２３    コンデンサーＣ
３    バンドパスフィルター
４    ＬＥＤ発光素子
５    ハウジング
５Ａ  再生収納部
５Ｂ  スピーカー
６    本発明装置
【図１】
2008170913.tif 000003
【図２】
2008170913.tif 000004
【図３】
2008170913.tif 000005
【図４】
2008170913.tif 000006
【図５】
2008170913.tif 000007